(57)【要約】【課題】一覧表示されたインデックス画像をユーザが視認するだけで、インデックス画像として表示されているデータに付随するセキュリティ情報を即座に予測し得るようにする。【解決手段】複数コンピュータ内のファイルを読み出すデータ読出部２１と、当該ファイルのインデックス画像を生成するインデックス画像生成部２２と、データが読み出されるコンピュータの画像を生成するコンピュータ画像生成部２３と、当該コンピュータ画像をディスプレイ７に表示させる画像表示制御部２５と、表示されたコンピュータ画像の中から選択されたコンピュータ画像を認識する選択画像認識部２４とを備え、選択画像認識部２４がいずれかのコンピュータ画像を認識すると、画像表示制御部２５が、当該コンピュータ内のファイルのインデックス画像を、当該コンピュータ画像と共にディスプレイ７上に表示させる。【選択図】　　　　図２
2004110399.tif 000002
【特許請求の範囲】
【請求項１】
コンピュータに対して、記録媒体に記録されたデータのインデックス画像を生成させ、ディスプレイに表示させるための画像表示プログラムにおいて、コンピュータを、
複数のコンピュータの各記録媒体内のデータを読み出すデータ読み出し手段と、
前記データ読み出し手段によって読み出したデータについてインデックス画像を生成するインデックス画像生成手段と、
前記データ読み出し手段によるデータ読み出しの対象となっているコンピュータを示す画像を生成するコンピュータ画像生成手段と、
前記コンピュータ画像生成手段によって生成された各コンピュータ画像をディスプレイ画面上に表示させる画像表示制御手段と、
ディスプレイ画面上に表示された前記コンピュータ画像の中で、いずれのコンピュータ画像が選択されたかを認識する認識手段として機能させると共に、
前記認識手段によっていずれかのコンピュータ画像が認識されたとき、前記画像表示制御手段は、当該コンピュータ画像に対応するコンピュータの記録媒体内のデータのインデックス画像を、当該コンピュータを示す前記コンピュータ画像と共に、ディスプレイ画面上に表示させることを特徴とする画像表示プログラム。
【請求項２】
コンピュータに対して、記録媒体に記録されたデータのインデックス画像を生成させ、ディスプレイに表示させるための画像表示プログラムにおいて、
コンピュータの記録媒体に記憶されているデータ及び当該データに付随するセキュリティレベル情報を読み出すデータ読み出し手段と、
前記データ読み出し手段によって読み出したデータ及びセキュリティ情報に基づいて、セキュリティレベルに応じて異ならせたインデックス画像を各データ毎に生成するインデックス画像生成手段と、
前記インデックス画像生成手段が生成したインデックス画像をディスプレイ画面上に表示させる画像表示制御手段として、コンピュータを機能させることを特徴とする画像表示プログラム。
【請求項３】
前記データ読み出し手段は、前記記録媒体内のデータに付随するセキュリティレベル情報を取得し、
前記インデックス画像生成手段は、前記データ読み出し手段によって読み出したデータ及びセキュリティ情報に基づいて、セキュリティレベルに応じて異ならせたインデックス画像を各データ毎に生成し、
前記画像表示制御手段は、前記インデックス画像生成手段が生成したインデックス画像をディスプレイ画面上に表示させるように、コンピュータを機能させることを特徴とする請求項１に記載の画像表示プログラム。
【請求項４】
前記記録媒体でフォルダ毎にセキュリティ情報が設定可能とされている場合に、
前記画像表示制御手段は、前記データ読み出し手段が読み出した前記記録媒体内のフォルダに付随するセキュリティ情報の内容に応じて、当該フォルダ内の各ファイルのインデックス画像の配列を変更してディスプレイ画面上に表示させるように、コンピュータを機能させることを特徴する請求項２又は請求項３に記載の画像表示プログラム。
【請求項５】
前記画像表示制御手段は、前記フォルダに設定されているセキュリティ情報がセキュリティレベルの高いことを示すときは、当該フォルダ内の各ファイルのインデックス画像を整列させてディスプレイ画面上に表示させるように、コンピュータを機能させることを特徴する請求項４に記載の画像表示プログラム。
【請求項６】
前記画像表示制御手段は、前記フォルダに設定されているセキュリティ情報がセキュリティレベルの低いことを示すときは、当該フォルダ内の各ファイルのインデックス画像を未整列の状態でディスプレイ画面上に表示させるように、コンピュータを機能させることを特徴する請求項４又は請求項５に記載の画像表示プログラム。
【請求項７】
記録媒体に記録されたデータのインデックス画像を生成し、ディスプレイに表示する画像表示装置において、
複数のコンピュータの各記録媒体内のデータを読み出すデータ読み出し手段と、
前記データ読み出し手段によって読み出したデータについてインデックス画像を生成するインデックス画像生成手段と、
前記データ読み出し手段によるデータ読み出しの対象となっているコンピュータを示す画像を生成するコンピュータ画像生成手段と、
前記コンピュータ画像生成手段によって生成された各コンピュータ画像をディスプレイ画面上に表示させる画像表示制御手段と、
ディスプレイ画面上に表示された前記コンピュータ画像の中で、いずれのコンピュータ画像が選択されたかを認識する認識手段とを備え、
前記認識手段によっていずれかのコンピュータ画像が認識されたとき、前記画像表示制御手段は、当該コンピュータ画像に対応するコンピュータの記録媒体内のデータのインデックス画像を、当該コンピュータを示す前記コンピュータ画像と共に、ディスプレイ画面上に表示することを特徴とする画像表示装置。
【請求項８】
記録媒体に記録されたデータのインデックス画像を生成し、ディスプレイに表示する画像表示装置において、
コンピュータの記録媒体に記憶されているデータ及び当該データに付随するセキュリティレベル情報を読み出すデータ読み出し手段と、
前記データ読み出し手段によって読み出したデータ及びセキュリティ情報に基づいて、セキュリティレベルに応じて異ならせたインデックス画像を各データ毎に生成するインデックス画像生成手段と、
前記インデックス画像生成手段が生成したインデックス画像をディスプレイ画面上に表示させる画像表示制御手段とを有することを特徴とする画像表示装置。
【発明の詳細な説明】
【０００１】
【発明の属する技術分野】
本発明は、記録媒体に記録されているデータのインデックス画像を生成して、ディスプレイ画面上に表示する画像表示技術に関する。
【０００２】
【従来の技術】
従来、コンピュータ内のハードディスクや、光ディスク等の記録媒体に記録されている文書データや画像データについて、各画像を縮小したサイズのインデックス画像（サムネイル画像）を作成し、生成したインデックス画像をディスプレイ画面上に並べて一覧表示する画像表示装置及びそのための画像表示プログラムが知られている。このような画像表示装置及び画像表示プログラムでは、例えば、コンピュータのハードディスク内に記憶されてる複数のフォルダの中から所望のフォルダを指定すると、当該フォルダ内に格納されている各ファイルのインデックス画像が一覧表示される。このとき、文書データの場合は第１頁の画像が縮小表示されたり、画像データの場合は当該画像が縮小表示されたりするようになっている。これにより、ユーザがインデックス画像を見れば、ファイルを開かなくてもファイルの中身がある程度把握できる。
【０００３】
【発明が解決しようとする課題】
しかしながら、上記画像表示装置及び画像表示プログラムによってファイルのインデックス画像を一覧表示する場合、ユーザはインデックス画像を見ればファイルの中身を把握できるが、ファイルについて自由に変更、読み取り、書き込み等が可能であるかといった、いわゆるセキュリティ情報が付加されているかどうかを即座に把握することはできない。ユーザがセキュリティ情報を知るためには、ファイルについて変更、読み取り、書き込み等が可能であるか否かは、ユーザが実際にファイル内容の変更等を試みるか、ファイルについてセキュリティ情報取得のための特定の操作を行わなければならない。
【０００４】
本発明は、上述した問題点を解決するためになされたものであり、一覧表示されたインデックス画像を視認するだけで、インデックス画像として表示されているデータのセキュリティ情報を即座に予測し得る画像表示プログラム及び画像表示装置を提供することを目的とする。
【０００５】
【課題を解決するための手段】
上記目的を達成するために請求項１に記載の発明は、コンピュータに対して、記録媒体に記録されたデータのインデックス画像を生成させ、ディスプレイに表示させるための画像表示プログラムにおいて、コンピュータを、
複数のコンピュータの各記録媒体内のデータを読み出すデータ読み出し手段と、
前記データ読み出し手段によって読み出したデータについてインデックス画像を生成するインデックス画像生成手段と、
前記データ読み出し手段によるデータ読み出しの対象となっているコンピュータを示す画像を生成するコンピュータ画像生成手段と、
前記コンピュータ画像生成手段によって生成された各コンピュータ画像をディスプレイ画面上に表示させる画像表示制御手段と、
ディスプレイ画面上に表示された前記コンピュータ画像の中で、いずれのコンピュータ画像が選択されたかを認識する認識手段として機能させると共に、
前記認識手段によっていずれかのコンピュータ画像が認識されたとき、前記画像表示制御手段は、当該コンピュータ画像に対応するコンピュータの記録媒体内のデータのインデックス画像を、当該コンピュータを示す前記コンピュータ画像と共に、ディスプレイ画面上に表示させるものである。
【０００６】
また、請求項７に記載の発明は、記録媒体に記録されたデータのインデックス画像を生成し、ディスプレイに表示する画像表示装置において、
複数のコンピュータの各記録媒体内のデータを読み出すデータ読み出し手段と、
前記データ読み出し手段によって読み出したデータについてインデックス画像を生成するインデックス画像生成手段と、
前記データ読み出し手段によるデータ読み出しの対象となっているコンピュータを示す画像を生成するコンピュータ画像生成手段と、
前記コンピュータ画像生成手段によって生成された各コンピュータ画像をディスプレイ画面上に表示させる画像表示制御手段と、
ディスプレイ画面上に表示された前記コンピュータ画像の中で、いずれのコンピュータ画像が選択されたかを認識する認識手段とを備え、
前記認識手段によっていずれかのコンピュータ画像が認識されたとき、前記画像表示制御手段は、当該コンピュータ画像に対応するコンピュータの記録媒体内のデータのインデックス画像を、当該コンピュータを示す前記コンピュータ画像と共に、ディスプレイ画面上に表示するものである。
【０００７】
これらの構成によれば、データ読み出しの対象となる複数のコンピュータがコンピュータ画像としてディスプレイ画面上に表示され、いずれかのコンピュータ画像が選択されると、当該コンピュータの記録媒体内に記憶されているデータのインデックス画像が、コンピュータ画像と共にディスプレイ画面上に表示されるので、データの読み出しが可能な複数のコンピュータのうち、どのコンピュータに記録されているデータが表示されているかを、ユーザに容易に認識させることができる。これにより、例えば、ユーザは自己が操作しているコンピュータ（クライアントＰＣ等）以外のコンピュータ（サーバコンピュータ等）に記録されているデータが表示されていることを明確に把握し、当該データに変更、書き込み、読み取り等に関する制限が付随する可能性の高いことを予測することができるようになる。
【０００８】
また、請求項２に記載の発明は、コンピュータに対して、記録媒体に記録されたデータのインデックス画像を生成させ、ディスプレイに表示させるための画像表示プログラムにおいて、
コンピュータの記録媒体に記憶されているデータ及び当該データに付随するセキュリティレベル情報を読み出すデータ読み出し手段と、
前記データ読み出し手段によって読み出したデータ及びセキュリティ情報に基づいて、セキュリティレベルに応じて異ならせたインデックス画像を各データ毎に生成するインデックス画像生成手段と、
前記インデックス画像生成手段が生成したインデックス画像をディスプレイ画面上に表示させる画像表示制御手段として、コンピュータを機能させるものである。
【０００９】
また、請求項８に記載の発明は、記録媒体に記録されたデータのインデックス画像を生成し、ディスプレイに表示する画像表示装置において、
コンピュータの記録媒体に記憶されているデータ及び当該データに付随するセキュリティレベル情報を読み出すデータ読み出し手段と、
前記データ読み出し手段によって読み出したデータ及びセキュリティ情報に基づいて、セキュリティレベルに応じて異ならせたインデックス画像を各データ毎に生成するインデックス画像生成手段と、
前記インデックス画像生成手段が生成したインデックス画像をディスプレイ画面上に表示させる画像表示制御手段とを有するものである。
【００１０】
これらの構成によれば、コンピュータの記録媒体内のデータ及びセキュリティレベルに応じて生成されたインデックス画像がディスプレイ画面上に表示されるので、ユーザは当該インデックス画像を視認するだけで、特別な操作を行うことなく、当該データの内容及びこれに付随する変更、読み取り、書き込み等の制限情報を即座に把握することが可能になる。
【００１１】
また、請求項３に記載の発明は、請求項１に記載の画像表示プログラムであって、前記データ読み出し手段は、前記記録媒体内のデータに付随するセキュリティレベル情報を取得し、
前記インデックス画像生成手段は、前記データ読み出し手段によって読み出したデータ及びセキュリティ情報に基づいて、セキュリティレベルに応じて異ならせたインデックス画像を各データ毎に生成し、
前記画像表示制御手段は、前記インデックス画像生成手段が生成したインデックス画像をディスプレイ画面上に表示させるように、コンピュータを機能させるものである。
【００１２】
この構成によれば、データの読み出しが可能なコンピュータの中で、どのコンピュータのデータがディスプレイ画面上に表示されているかを、ユーザに対して容易に認識させることができ、しかも、ユーザはディスプレイ画面上に表示されたインデックス画像を視認することによって、当該ファイルの内容及び付随する変更、読み取り、書き込み等の制限情報を即座に把握することが可能になる。
【００１３】
また、請求項４に記載の発明は、請求項２又は請求項３に記載の画像表示プログラムであって、前記記録媒体でフォルダ毎にセキュリティ情報が設定可能とされている場合に、
前記画像表示制御手段は、前記データ読み出し手段が読み出した前記記録媒体内のフォルダに付随するセキュリティ情報の内容に応じて、当該フォルダ内の各ファイルのインデックス画像の配列を変更してディスプレイ画面上に表示させるように、コンピュータを機能させるものである。
【００１４】
この構成によれば、フォルダに付随するセキュリティ情報の内容に応じて、当該フォルダ内の各ファイルのインデックス画像の配列を変更してディスプレイ画面上に表示させるので、ユーザは当該インデックス画像の配列状態を見れば、各ファイルに付随するセキュリティ情報の内容を予測することができる。
【００１５】
また、請求項５に記載の発明は、請求項４に記載の画像表示プログラムであって、前記画像表示制御手段は、前記フォルダに設定されているセキュリティ情報がセキュリティレベルの高いことを示すときは、当該フォルダ内の各ファイルのインデックス画像を整列させてディスプレイ画面上に表示させるように、コンピュータを機能させるものである。
【００１６】
この構成によれば、整列表示されたインデックス画像群をユーザに見せることによって、各ファイルが厳格な管理下におかれており、各ファイルを無許可で読み出したり、内容変更等をしてはいけないような印象をユーザに与えることが期待できる。よって、ユーザに興趣性を持たつつ、各ファイルのセキュリティ情報を予測させることができる。
【００１７】
また、請求項６に記載の発明は、請求項４又は請求項５に記載の画像表示プログラムであって、前記画像表示制御手段は、前記フォルダに設定されているセキュリティ情報がセキュリティレベルの低いことを示すときは、当該フォルダ内の各ファイルのインデックス画像を未整列の状態でディスプレイ画面上に表示させるように、コンピュータを機能させるものである。
【００１８】
この構成によれば、未整列、すなわち整列しておらず乱れた状態で表示されるインデックス画像群をユーザに見せることによって、各ファイルが管理されておらず、各ファイルの読み出しや内容変更等を自由に行っても良いような印象をユーザに与えることが期待できる。よって、ユーザに興趣性を与えつつ、各ファイルのセキュリティ情報を予測させることができる。
【００１９】
【発明の実施の形態】
以下、本発明に係る画像表示装置及び画像表示プログラムの一実施形態について図面を参照して説明する。図１は本発明に係る画像表示装置の概略構成を示すブロック図である。図１に示す画像表示装置１は、パーソナルコンピュータ等を備えて構成される。画像表示装置１は、装置全体の動作制御を司るＣＰＵ２を備え、このＣＰＵ２には、内部バスによって入力装置３，ＲＯＭ４，ＲＡＭ５，記憶装置６，ディスプレイ７及び記録媒体読取装置８が接続されている。これら各部はＣＰＵ２の制御の下、内部バスを介して各種データが各部間で入出力され、各種処理が実行される。
【００２０】
入力装置３はキーボードやマウス等から構成され、ユーザによって操作指示等が入力される。ＲＯＭ４には、装置全体の動作制御用のシステムプログラム等が記憶されている。記憶装置６はハードディスクドライブ等から構成され、本発明に係る画像表示プログラム等が記憶されている。ＣＰＵ２は、記憶装置６から画像表示プログラム等を読み出し、その処理を実行して各ブロックの動作を制御する。また、ＲＡＭ５はＣＰＵ２の作業領域として用いられる。ディスプレイ７はＣＲＴ又は液晶表示装置等からなり、ＣＰＵ２による制御で各種画面を表示する。
【００２１】
上記画像表示プログラムは、ＣＤ−ＲＯＭ、ＦＤ等の記録媒体９から、ディスクドライブ等で構成される記録媒体読取装置８により記憶装置６に記録するようにしてもよい。また、当該画像表示装置１がネットワークを介して他のコンピュータ等に接続されている場合には、当該コンピュータ等からネットワークを介して画像表示プログラム等をダウンロードしてもよい。
【００２２】
次に、上記のように構成された画像表示装置１の主要な機能について説明する。図２は画像表示装置１の主要機能ブロック図である。図２に示すように、画像表示装置１では、記憶装置６に記憶されている画像表示プログラムに従って、ＣＰＵ２がプログラム実行部として機能する。記憶装置６に記憶されているテキスト形式等の文書データ１，２，３やＰＤＦ形式，ＪＰＥＧ形式等の画像データ１〜ｎが読み出しの対象となる。なお、読み出しの対象となる文書データ及び画像データ等は記録媒体９に記憶されているものであってもよい。記憶装置６から読み出された文書データ及び画像データは、その内容を所定サイズに縮小したインデックス画像（サムネイル画像）がＣＰＵ２によって生成され、このインデックス画像は画像メモリとして機能するＲＡＭ５に一旦転送され、ディスプレイ７に表示される。
【００２３】
ＣＰＵ２は、記憶装置６内の画像表示プログラムの指示に基づいて、自己のパーソナルコンピュータ（クライアントＰＣ等）と、自己のコンピュータにＬＡＮ等によって接続されている他のコンピュータ１１（データベースサーバ等）に記録されているファイルデータ（文書データ，画像データ等）及び各ファイルに付随するセキュリティレベル情報をそれぞれ読み出すデータ読出部２１と、データ読出部２１が読み出したファイルデータ及びセキュリティ情報に基づいて、セキュリティレベル毎に異ならせたインデックス画像を各データ毎に生成するインデックス画像生成部２２と、データ読出部２１がデータ読み出し可能なコンピュータを示すコンピュータ画像生成するコンピュータ画像生成部２３と、ディスプレイ７の画面上に表示された当該コンピュータ画像の中で、いずれのコンピュータ画像が選択されたかを認識する選択画像認識部２４と、選択画像認識部２４によって認識された画像に対応するコンピュータを特定し、当該コンピュータに記録されているファイルのインデックス画像を、上記コンピュータ画像と共にディスプレイ７の画面上に表示させる画像表示制御部２５として機能する。
【００２４】
データ読出部２１は、インタフェイス１０を介して、自己のコンピュータ（画像表示装置１）に接続されているデータベースサーバ１１等の記憶装置１６（又は記録媒体１９）に記憶されている文書データや画像データ等からファイルデータ及び当該ファイルに付随するセキュリティレベル情報を読み出す。コンピュータ画像生成部２３は、データ読出部２１による読み出し対象となるコンピュータ（自己のコンピュータ及びこれに接続されたデータベースサーバ等）について、データ読出部２１が取得した各コンピュータのＩＤ情報に基づいて、後述の図４に示すようなタブ画像を生成する。当該タブ画像の生成に必要な画像データは、画像表示プログラム内の画像データ記憶部に記憶されている。
【００２５】
インデックス画像生成部２２は、画像表示プログラム内の画像データ記憶部に記憶された画像データ（セキュリティレベルに対応したもの）を用いて、セキュリティレベル毎に異ならせたインデックス画像を生成する。画像データ記憶部には、例えば、セキュリティレベルが読み取り専用、書き込み専用、変更可能、フルコントロール（書き込み変更等の制限無し）である場合、当該各セキュリティレベルに応じて異なる表示形態、例えば、色又は図柄の画像データが対応付けて用意されている（後述する図６参照）。インテックス画像２２は、この画像データを、ファイルの内容を縮小画像に加工したものと合成してインデックス画像として生成する。
【００２６】
次に、ユーザの個人用コンピュータ（画像表示装置１）及び当該コンピュータに接続されたデータベースサーバに記憶されているファイルの両方を当該個人用コンピュータに表示させる処理について説明する。図３は当該処理を示すフローチャート、図４はディスプレイ７の画面上での表示例を示す図である。
【００２７】
個人用コンピュータ及びデータベースサーバに記憶されているデータ（フォルダ及びファイル）の両方を、個人用コンピュータのディスプレイ７に表示させる場合、ＣＰＵ２は、ＬＡＮ接続等により当該個人用コンピュータから内部データの閲覧が可能なコンピュータを確認する（Ｓ１）。そして、当該内部データの閲覧が可能なコンピュータのＩＤ情報から名称情報を参照して、内部データの閲覧が可能なコンピュータを表示したタブ画像を生成する（Ｓ２）。例えば、個人用コンピュータから共有データベースサーバの内部データが閲覧可能とされている場合は、ユーザの個人用コンピュータ及び当該データベースサーバを示すタブ画像を生成する。これらタブ画像はディスプレイ７に表示させる（Ｓ３）。このとき、図４に示すように、一方のコンピュータを示すタブ画像を他方のタブ画像の上に重ねて表示する。
【００２８】
そして、例えば図４に示すように、上記重ねて表示されている２つのタブ画像のうち、上側に表示されている方のコンピュータ内のフォルダ一覧を表示すると共に（Ｓ４）、当該一覧表示されたフォルダの中の１つのフォルダについて、当該フォルダ内の各ファイルのインデックス画像を生成し、ファイル一覧を表示させる（Ｓ５）。
【００２９】
ここで、ディスプレイ７に表示されている上記タブ画像のうち、ユーザのマウス操作等により、ファイル一覧表示中のコンピュータとは異なる方のコンピュータを示すタブ画像が選択されたことを選択画像認識部２４が認識すると（Ｓ６でＹＥＳ）、両タブ画像の重ね表示を入れ換えて、選択されたコンピュータを示すタブ画像の表示を他方のタブ表示上に重ねて表示させ、当該選択されたコンピュータに記憶されているフォルダの一覧を表示すると共に（Ｓ７）、その中でいずれかのフォルダについて、当該フォルダ内の各ファイルのインデックス画像を生成し、ファイル一覧を表示させる（Ｓ８）。以後はＳ６乃至Ｓ８の処理を繰り返す。
【００３０】
これにより、個人用コンピュータからデータの読み出し可能となっているコンピュータのうち、どのコンピュータ内のデータが表示されているかを、ユーザに容易に認識させることができる。よって、ユーザに、自分のコンピュータ以外のコンピュータに記録されているデータが表示されていることを明確に把握させ、当該データに変更、書き込み、読み取り等に関する制限が付随している可能性の高いことを予測させることができる。
【００３１】
次に、各ファイルのセキュリティレベル毎に異ならせたインデックス画像を一覧表示する処理について説明する。図５は当該処理を示すフローチャート、図６（ａ）乃至（ｄ）は当該インデックス画像の一例を示す図である。
【００３２】
各ファイルのセキュリティレベル毎に異なるインデックス画像を表示させる場合、ＣＰＵ２は、ファイルに付随するセキュリティ情報から、各ファイルのセキュリティレベルを確認する（Ｓ１１）。ファイルに何らかのセキュリティ（読み出しや書き込み等の制限）が設定されている場合は（Ｓ１２でＹＥＳ）、セキュリティレベルに対応する画像データを画像表示プログラム内の画像データ記憶部から読み出す（Ｓ１３）。
【００３３】
このセキュリティレベルに対応する画像データは、セキュリティレベルに応じて異ならせた画像のデータが記憶されている。例えば、セキュリティレベルとして、セキュリティレベル１：読み取り専用、セキュリティレベル２：書き込み専用、セキュリティレベル３：変更可能、セキュリティレベル４：フルコントロール（書き込み変更等制限無し）が用意されている場合、セキュリティレベル１は、ユーザに最も制約が多いことを連想させる３重枠（図６（ａ））、セキュリティレベル２は２重枠（図６（ｂ））、セキュリティレベル３は、ユーザに制約が少ないことを連想させる１重枠（図６（ｃ））のような各画像のデータが記憶されている。なお、図６（ａ）乃至（ｃ）は、当該セキュリティレベルを示す画像と、ファイル内容を示すサムネイル画像とを合成したインデックス画像を示している。また、上記のような枠を表示する画像によらずにインデックス画像の色をセキュリティレベルによって異ならせるようにしてもよい。
【００３４】
セキュリティレベルに対応する画像データの読み出し後、当該ファイルのデータを読み出し（Ｓ１４）、上記セキュリティレベルに対応する画像データ及び当該ファイルデータを合わせてインデックス画像を生成する（Ｓ１５）。
【００３５】
また、上記Ｓ１２において、ファイルに何らセキュリティが設定されておらず、いわゆるフルコントロール可能なファイルであると判断された場合は（Ｓ１２でＮＯ）、当該セキュリティレベルに対応する画像データを読み出すことなく、当該ファイルのデータのみを読み出し（Ｓ１８）、当該ファイルデータに基づいて、図６（ｄ）に示すようなインデックス画像を生成する（Ｓ１９）。
【００３６】
この後、生成したインデックス画像のデータをＲＡＭ５（画像メモリ）に転送し（Ｓ１６）、このインデックス画像をディスプレイ７に表示させる（Ｓ１７）。以上の処理は、記録媒体に記録されている全てのファイルについて行う。
【００３７】
このようにインデックス画像を生成して表示すれば、ユーザは当該インデックス画像を視認すれば、ファイルに付随するセキュリティ情報を得るための特別な操作等を行わなくても、当該ファイルの変更、読み取り、書き込み等が可能であるかのセキュリティ情報を即座に把握することができる。
【００３８】
次に、フォルダのセキュリティ設定の有無に応じた表示処理について説明する。図７は当該処理を示すフローチャート、図８はセキュリティ設定がされているフォルダについて、各ファイルのインデックス画像を一覧表示した画面の例を示す図、図９はセキュリティ設定がされていないフォルダについて、各ファイルのインデックス画像を一覧表示した画面の例を示す図である。
【００３９】
各フォルダのセキュリティ設定の有無に応じて、各フォルダを示す画像を異ならせてディスプレイ７の画面上に表示させる場合、ＣＰＵ２は、フォルダに付随するセキュリティ情報に基づいて、各フォルダのセキュリティレベルを確認する（Ｓ２１）。フォルダに何らかのセキュリティが設定されている場合は（Ｓ２２でＹＥＳ）、いわゆるツリー表示によるフォルダ一覧表示を行うための各フォルダを示す画像の色を、例えば赤に設定する（Ｓ２３）。すなわち、当該フォルダの取り扱いについて制限があることを明確に表示するために、セキュリティが設定されていないフォルダとは異なる色に変更して当該画像を表示させる。
【００４０】
続いて、ユーザによるマウス操作等により当該ファイルが選択されているか否かを判断し（Ｓ２４）、当該フォルダが選択されている場合は（Ｓ２４でＹＥＳ）、フォルダ内の各ファイルのインデックス画像を表示する領域の背景色を、例えば赤に設定する（Ｓ２５）。すなわち、表示されている各ファイルが、セキュリティ設定されているフォルダに収められていることを明確に表示する。
【００４１】
そして、図８に示すように、当該フォルダ内の各ファイルを示すインデックス画像を整列配置させて設定する（Ｓ２６，図８参照）。この整列配置としたインデックス画像及びデスクトップ背景画像のデータを画像メモリ（ＲＡＭ５）に転送し（Ｓ２７）、当該画像メモリ内のインデックス画像をディスプレイ７に表示させる（Ｓ２８）。なお、当該フォルダがユーザにより選択されていない場合は（Ｓ２４でＮＯ）、Ｓ２５及びＳ２６をスキップして処理を終了する。
【００４２】
また、Ｓ２２において、フォルダにセキュリティ設定がされていない場合は（Ｓ２２でＮＯ）、ツリー表示によるフォルダ一覧表示のためのフォルダを示す画像を通常色（例えばベージュ色等）に設定する（Ｓ２９）。すなわち、セキュリティが設定されているフォルダと表示上の差異を設けるために、セキュリティが設定されているフォルダとは異なる色で表示させる。
【００４３】
続いて、ユーザによるマウス操作等により当該フォルダが選択されている場合は（Ｓ３０でＹＥＳ）、フォルダ内の各ファイルを表示する領域の背景色を白色等の通常色に設定する（Ｓ３１）。すなわち、表示されている各ファイルがセキュリティ設定されていないフォルダに収められていることを明確に表示するために、セキュリティが設定されている場合とは異なる色で表示させる。
【００４４】
そして、当該フォルダ内の各ファイルを示すインデックス画像を、図９に示すように、整列配置させずに乱れた状態に配置する（Ｓ３２）。この場合、例えば、各インデックス画像の位置は、表示毎に乱数発生手段を動作させ、得られた乱数に対応した、予め準備された配置情報に基づいて、表示位置及び重ねの優先度を決定すればよい。このインデックス画像及びデスクトップ背景画像のデータを画像メモリ（ＲＡＭ５）に転送し（Ｓ２７）、当該画像メモリ内のインデックス画像をディスプレイ７に表示させる（Ｓ２８）。なお、当該フォルダが選択されていない場合は（Ｓ３０でＮＯ）、Ｓ３１及びＳ３２をスキップして処理を終了する。
【００４５】
なお、フォルダのセキュリティレベル毎に異なる色のフォルダ画像を表示する場合は、以下のように処理を行う。図１０は当該処理を示すフローチャートである。上記図７に示した処理と同じ処理については説明を省略する。この処理では、フォルダに何らかのセキュリティが設定されているときは（Ｓ４２でＹＥＳ）、更にセキュリティレベルの程度を確認し（Ｓ４７）、フォルダに設定されているセキュリティレベルに応じて一覧表示用のフォルダ画像の色を異ならせる（Ｓ４８，Ｓ５１，Ｓ５７）。例えば、セキュリティレベル１：読み取り専用の場合はツリー一覧表示用のフォルダ画像を赤色に設定し（Ｓ４８）、セキュリティレベル２：書き込み専用の場合はツリー一覧表示用のフォルダ画像を黄色に設定し（Ｓ５１）、セキュリティレベル３：変更可能の場合はツリー一覧表示用のフォルダ画像を緑色に設定する（Ｓ５７）。
【００４６】
また、当該フォルダ内の各ファイルのインデックス画像を表示する領域の背景色も、上記フォルダ画像の色と同様にして、セキュリティレベルに応じて異ならせた色に設定する（Ｓ５０，Ｓ５３，Ｓ５９）。
【００４７】
このようにセキュリティレベルに応じて、フォルダ画像及びデスクトップ背景の色を異ならせて表示させることによって、ユーザに各フォルダのセキュリティレベルを即座に把握させることができる。
【００４８】
なお、本発明は上記実施の形態の構成に限られず種々の変形が可能である。例えば、上記個人用コンピュータ及びデータベースサーバに記憶されているファイルの両方を個人用コンピュータに表示させる処理（図３）と、各ファイルのセキュリティレベルに応じて異ならせたインデックス画像を一覧表示する処理（図５）の両方を行い、図１１に示すような画面をディスプレイ７に表示させるようにしてもよい。この場合は、どのコンピュータのファイル（インデックス画像）がディスプレイ７に表示されているかをユーザに対して容易に認識させることができると共に、ユーザは当該インデックス画像を視認すれば、ファイルの内容及び付随する変更、読み取り、書き込み等の制限情報を即座に把握できる。
【００４９】
また、セキュリティが設定されていないフォルダ内のファイルのインデックス画像を整列させずに乱れた状態とする配置は、上記図９に示したものに限られず、図１２に示すように、各インデックス画像が重なったように表示され、擬似的に書類が無造作に放置されているような表示をさせるようにしてもよい。この場合、各インデックス画像の配置や、各インデックス画像同士の重なり具合は、所定の乱数に基づいて、表示の度に、その表示位置や重なる面積を決定してもよい。
【００５０】
なお、上記実施の形態では、フォルダに設定されているセキュリティレベル毎に、赤，黄，青にツリー一覧表示用のフォルダ画像の色を設定しているが、これらの色に限定されないことは勿論である。
【００５１】
【発明の効果】
以上のように請求項１及び請求項７に記載の発明によれば、データ読み出しの対象となる複数のコンピュータがコンピュータ画像としてディスプレイ画面上に表示され、いずれかのコンピュータ画像が選択されると、当該コンピュータの記録媒体内のデータのインデックス画像がコンピュータ画像と共にディスプレイ画面上に表示されるので、データの読み出しが可能な複数のコンピュータのうち、どのコンピュータに記録されているデータが表示されているかを、ユーザに容易に認識させることができる。これにより、例えば、ユーザは、自己が操作しているコンピュータ（クライアントＰＣ等）以外のコンピュータ（サーバコンピュータ等）に記録されているデータが表示されていることを明確に把握し、当該データに変更、書き込み、読み取り等に関する制限が付随する可能性の高いことを予測することができるようになる。
【００５２】
また、請求項２及び請求項８に記載の発明によれば、コンピュータの記録媒体内のデータ及びセキュリティ情報に基づいて生成されたインデックス画像がディスプレイ画面上に表示されるので、ユーザは当該インデックス画像を視認するだけで、特別な操作を行うことなく、当該データの内容及びこれに付随する変更、読み取り、書き込み等の制限情報を即座に把握することができる。
【００５３】
また、請求項３に記載の発明によれば、データの読み出しが可能なコンピュータの中で、どのコンピュータのデータがディスプレイ画面上に表示されているかを、ユーザに対して容易に認識させることができ、しかも、ユーザはディスプレイ画面上に表示されたインデックス画像を視認することによって、当該ファイルの内容及び付随する変更、読み取り、書き込み等の制限情報を即座に把握することができる。
【００５４】
また、請求項４に記載の発明によれば、フォルダに付随するセキュリティ情報に応じて、当該フォルダ内の各ファイルのインデックス画像の配列を変更してディスプレイ画面上に表示させるので、ユーザは当該インデックス画像の配列状態に基づいて、各ファイルに付随するセキュリティ情報の内容を予測することができる。
【００５５】
また、請求項５に記載の発明によれば、整列表示されたインデックス画像群をユーザに見せることによって、各ファイルが厳格な管理下におかれており、各ファイルを無許可で読み出したり、内容変更等したりしてはいけないような印象をユーザに与えることが期待できる。すなわち、ユーザに興趣性を持たつつ、各ファイルのセキュリティ情報を予測させることができる。
【００５６】
また、請求項６に記載の発明によれば、整列しておらず乱れた状態で表示されるインデックス画像群をユーザに見せることによって、各ファイルが管理されておらず、各ファイルの読み出しや内容変更等を自由に行っても良いような印象をユーザ与えることが期待できる。すなわち、ユーザに興趣性を持たつつ、各ファイルのセキュリティ情報を予測させることができる。
【図面の簡単な説明】
【図１】本発明に係る画像表示装置の概略構成を示すブロック図である。
【図２】本発明に係る画像表示装置の主要機能ブロック図である。
【図３】個人用コンピュータ及び当該コンピュータに接続されたデータベースサーバに記憶されているファイルの両方を当該個人用コンピュータに表示させる処理を示すフローチャートである。
【図４】個人用コンピュータ及び当該コンピュータに接続されたデータベースサーバに記憶されているファイルの両方を当該個人用コンピュータに表示させる処理を行った場合における画面表示の例を示す図である。
【図５】ファイルのセキュリティレベルに応じて異ならせたインデックス画像を一覧表示する処理を示すフローチャートである。
【図６】（ａ）乃至（ｄ）は、ファイルのセキュリティレベルに応じて異ならせたインデックス画像の一例を示す図である。
【図７】フォルダのセキュリティ設定の有無に応じた表示処理を示すフローチャートである。
【図８】セキュリティ設定がされているフォルダについて、当該フォルダ内の各ファイルのインデックス画像を一覧表示する画面の例を示す図である。
【図９】セキュリティ設定がされていないフォルダについて、当該フォルダ内の各ファイルのインデックス画像を一覧表示する画面の例を示す図である。
【図１０】フォルダのセキュリティレベル毎に異なる色のフォルダ画像を表示する処理を示すフローチャートである。
【図１１】個人用コンピュータ及び当該コンピュータに接続されたデータベースサーバに記憶されているファイルの両方を個人用コンピュータに表示させる処理と、各ファイルのセキュリティレベルに応じて異ならせたインデックス画像を一覧表示する処理の両方を行った場合における画面表示の例を示す図である。
【図１２】セキュリティ設定がされていないフォルダについて、当該フォルダ内の各ファイルのインデックス画像を一覧表示する画面の他の例を示す図である。
【符号の説明】
１　　画像表示装置
６　　記憶装置
７　　ディスプレイ
９　　記録媒体
２１　データ読出部
２２　インデックス画像生成部
２３　コンピュータ画像生成部
２４　選択画像認識部
２５　画像表示制御部
【図１】
2004110399.tif 000003
【図２】
2004110399.tif 000004
【図３】
2004110399.tif 000005
【図４】
2004110399.tif 000006
【図５】
2004110399.tif 000007
【図６】
2004110399.tif 000008
【図７】
2004110399.tif 000009
【図８】
2004110399.tif 000010
【図９】
2004110399.tif 000011
【図１０】
2004110399.tif 000012
【図１１】
2004110399.tif 000013
【図１２】
2004110399.tif 000014